(57)【要約】【課題】消費電力を削減しつつ彩度・明度の高い黄色やオレンジ系の色相変化を低減できる。【解決手段】１画素がＲ、Ｇ、Ｂのサブピクセル及び、ＷまたはＹのサブピクセルからなる液晶パネルとバックライトとを有する表示手段を有する表示装置であって、画像信号を用いて前記バックライトの発光輝度を制御するバックライト制御手段と、画像信号を用いて、Ｒ、Ｇ、Ｂのサブピクセルに対応した第１、第２、第３の信号及びＷまたはＹのサブピクセルに対応した第４の信号を生成して前記表示手段に出力する生成手段と、画像信号における第４の信号の割合を検出する検出手段と、生成手段を制御して、表示装置の操作のための情報と画像信号とを合成する制御手段とを備え、制御手段は、検出手段により検出された第４の信号の割合が所定値以上の場合、バックライトの発行輝度を変更せずに、表示装置の操作のための情報と画像信号とを合成して表示するように、表示手段とバックライト制御手段とを制御することを特徴とする。【選択図】    図１
2015215525.tif 000002
【特許請求の範囲】
【請求項１】
１画素がＲ、Ｇ、Ｂのサブピクセル及び、ＷまたはＹのサブピクセルからなる液晶パネルとバックライトとを有する表示手段を有する表示装置であって、
画像信号を用いて前記バックライトの発光輝度を制御するバックライト制御手段と、
前記画像信号を用いて、前記Ｒ、Ｇ、Ｂのサブピクセルに対応した第１の信号、第２の信号、第３の信号及び前記ＷまたはＹのサブピクセルに対応した第４の信号を生成して前記表示手段に出力する生成手段と、
前記画像信号における前記第４の信号の割合を検出する検出手段と、
前記生成手段を制御して、前記表示装置の操作のための情報と前記画像信号とを合成する制御手段とを備え、
前記制御手段は、前記検出手段により検出された前記第４の信号の割合が所定値以上の場合、前記バックライトの発行輝度を変更せずに、前記表示装置の操作のための情報と前記画像信号とを合成して表示するように、前記表示手段と前記バックライト制御手段とを制御することを特徴とする表示装置。
【発明の詳細な説明】
【技術分野】
【０００１】
本発明は、表示装置に関するものである。
【背景技術】
【０００２】
従来、透過型ＬＣＤにおいてバックライトから照射される光は、液晶パネルの各画素において透過量制御されるため、当然ながら液晶パネルによって吸収される光が生じる。また、カラーフィルタにおいても、Ｒ，Ｇ，Ｂの各サブピクセルは、バックライトから発生された白色光の中で、該当波長帯以外の光を吸収する。このように、一般的な透過型ＬＣＤでは、液晶パネルやカラーフィルタによる光の吸収量が多くバックライトからの照射光の利用効率が低いため、バックライトにおける消費電力が大きくなるといった課題がある。
【０００３】
このような透過型ＬＣＤの消費電力を削減する技術として、表示画像に応じて発光輝度
を調整可能なアクティブバックライトを用いる方法が知られている（特許文献１）。
【０００４】
しかしながら、液晶パネルによって吸収される光量を減らすことでバックライトの消費電力削減を図ることはできるものの、カラーフィルタによって吸収される光量を減らすことはできない。そのため、Ｒ，Ｇ，Ｂの各サブピクセルの他にＷのサブピクセルで形成された液晶パネルを用いることで、Ｒ，Ｇ，Ｂの各色成分の一部をフィルタ吸収による光量損失が無い（もしくは少ない）Ｗ、サブピクセルに振り分けることができる表示装置が提案されている（特許文献２）。
【先行技術文献】
【特許文献】
【０００５】
【特許文献１】特開平１１−６５５３１号公報
【特許文献２】特開２００８−１７６２４７号公報
【発明の概要】
【発明が解決しようとする課題】
【０００６】
しかしながら、Ｗサブピクセルへの振り分け量を増やして、バックライトの消費電流を減らすようにした場合、消費電力は低減する。しかし、例えば、画像と共にメニュー情報などを重畳して表示している状態で、表示中の画像が黄色やオレンジ系の多い画像に変化した場合、メニュー情報の黄色やオレンジ系の色相変化が発生してしまう問題が有った。
【０００７】
本発明は、上記点に鑑みてなされたもので、Ｒ，Ｇ，Ｂの各サブピクセルの他にＷのサブピクセルを用いＷのサブピクセルに振り分けることで、消費電力を削減しつつ彩度・明度の高い黄色やオレンジ系の色相変化を低減できる表示装置を提供することを目的とする。
【課題を解決するための手段】
【０００８】
本発明に係る表示装置は、１画素がＲ、Ｇ、Ｂのサブピクセル及び、ＷまたはＹのサブピクセルからなる液晶パネルとバックライトとを有する表示手段を有する表示装置であって、画像信号を用いて前記バックライトの発光輝度を制御するバックライト制御手段と、前記画像信号を用いて、前記Ｒ、Ｇ、Ｂのサブピクセルに対応した第１の信号、第２の信号、第３の信号及び前記ＷまたはＹのサブピクセルに対応した第４の信号を生成して前記表示手段に出力する生成手段と、前記画像信号における前記第４の信号の割合を検出する検出手段と、前記生成手段を制御して、前記表示装置の操作のための情報と前記画像信号とを合成する制御手段とを備え、前記制御手段は、前記検出手段により検出された前記第４の信号の割合が所定値以上の場合、前記バックライトの発行輝度を変更せずに、前記表示装置の操作のための情報と前記画像信号とを合成して表示するように、前記表示手段と前記バックライト制御手段とを制御する。
【発明の効果】
【０００９】
本発明によれば、消費電力を削減しつつ彩度・明度の高い黄色やオレンジ系の色相変化を低減できる。
【図面の簡単な説明】
【００１０】
【図１】本発明の実施形態に係わる構成概念図である。
【図２】本発明の実施形態に係わる表示装置を表すブロック図である。
【図３】液晶パネル表示部を表すブロック図である。
【図４】ライブ画像表示中における設定メニュー表示した際の表示制御動作処理フローチャートである。
【図５】液晶パネル表示部で表示される画像を表す図である。
【図６】ライブ画像表示中におけるピント位置拡大表示した際の制御動作処理フローチャートである。
【発明を実施するための形態】
【００１１】
以下、本発明の実施の形態について、図面を参照して説明する。図１は本発明の表示装置が適用されるデジタルカメラの構成を示す図である。図１において、１は、デジタルカメラ本体、２は、本体電源を入り切りする本体電源スイッチである。３は、レリーズスイッチ、４は、撮影画像表示・シャッター速度や絞り数値撮影枚数及び、メニュー等を表示するタッチパネル付き液晶表示パネル、５は、メニュー等の設定を操作する操作キーである。
【００１２】
図２は、図１に示すデジタルカメラの内部の機能構成を示すブロック図である。図中、１１は、デジタルカメラ１を動作させる為、デジタルカメラ本体に電圧供給する電源供給部、１２は、デジタルカメラ全体を制御するためのＣＰＵ、１３は、画像を撮像する為の撮像素子（ＣＣＤなど）を含む撮像部、１４は、撮像した画像を処理する画像処理部、１５は、画像データを記憶する記憶部、１６は、撮影画像表示・設定時のメニュー表示及びデジタルカメラ本体の状態を外部に知らせる為の液晶パネル表示部、１７は、タッチパネル付き背面液晶表示パネル４に貼り付けられた、タッチパネル操作部、１８は、デジタルカメラへの操作を行う操作部である。なお、図２には示されていないが、ＣＰＵ１２には、前記図１におけるデジタルカメラの撮影及び再生に必要な諸々の回路等がさらに接続されており、ＣＰＵ１２は、不図示のＲＯＭに格納された所定のプログラムに従って動作制御する。
【００１３】
図３は、液晶パネル表示部１６の構成を示すブロック図である。図中、１６１は、入力ＲＧＢ信号または、ＹＵＶ信号から、バックライト値に合うようにＲＧＢ信号レベル変換及びＲＧＢ信号レベルからＷ（Ｙ）の振り分け量を算出しＲＧＢＷ（Ｗ）信号を生成する出力信号生成部、バックライト値及びＷ（Ｙ）の振り分け量は、特開２００８−１７６２４７号公報などで開示されている方法を用い算出を行う。
【００１４】
１６２は、出力信号生成部１６１で生成されたＲＧＢＷ（Ｙ）信号をＲＧＢＷ（Ｙ）のサブピクセルで構成される液晶表示部１６３の配列に応じて制御を行う液晶パネル制御部、１６４は、出力信号生成部１６１で算出したバックライト値に応じて、バックライト部１６５を駆動するバックライト駆動部である。
【００１５】
次に、ライブ画像表示中における設定メニュー表示した際の表示制御動作処理について図４に示すフローチャートを参照して説明する。ステップＳ１０１で、撮像部１３より得られた画像を処理し、液晶パネル表示部１６内の出力信号生成部１６１にＲＧＢ信号を入力し、入力されたＲＧＢ信号にてバックライト値とバックライト値に応じたＲＧＢ信号レベル変換してＲＧＢ信号レベルからＷ（Ｙ）の振り分け量を算出しＲＧＢＷ（Ｙ）信号を生成する。
【００１６】
ステップＳ１０２で出力信号生成部１６１にて算出されたバックライト値でバックライト駆動部１６４にて駆動を行う。また、出力信号生成部１６１で生成されたＲＧＢＷ（Ｙ）信号を液晶パネル制御部１６２でＲＧＢＷのサブピクセルで構成される液晶表示部１６３の配列に応じて制御を行い、液晶パネル表示部１６で図５（ａ）のように表示（ライブ画像表示）を行う。ステップＳ１０３で、操作部５から撮影モード変更の操作を行ったか確認する。操作部５から撮影モード変更の操作を行っていないと検出された場合、ステップＳ１０１に戻り出力信号生成部１６１でバックライト値の算出とバックライト値に応じたＲＧＢ信号レベル変換してＲＧＢ信号レベルからＷの振り分け量を算出しＲＧＢＷ信号の生成を継続する。
【００１７】
操作部５から撮影モード変更の操作を行ったと検出された場合、ステップＳ１０４で、出力信号生成部１６１で生成されたＲＧＢＷ（Ｙ）信号のＷ（Ｙ）信号振り分け量が所定の範囲以内か確認する。ステップＳ１０４でＷ（Ｙ）信号振り分け量が所定の範囲外と判断した場合、ステップＳ１０５に進み、出力信号生成部１６１のバックライト値の算出を停止し、バックライト値バックライト値を維持する。バックライト値が維持される為、Ｗ（Ｙ）の振り分け量の上限が決まったＲＧＢＷ信号が生成される。
【００１８】
そして、ステップＳ１０６でライブ画像表示にモード設定表示を重畳させた図５（ｂ）のような表示を行う。ステップ１０４でＲＧＢＷ信号のＷ（Ｙ）信号振り分け量が所定の範囲以内と判断した場合、ステップ１０７に進み、ライブ画像表示にモード設定表示を重畳させた図５（ｂ）の様な表示を行う。
【００１９】
尚、本実施例では、ＲＧＢＷ信号のＷ（Ｙ）信号振り分け量が所定の範囲内外で出力信号生成部１６１のバックライト値の算出を継続・停止しているが、出力信号生成部１６１のバックライト値の算出値から行っても良い。
【００２０】
また、本実施例では、撮影モード設定有無にて説明しているが、ライブ画像を表示している状態でメニューなどビットマップ画像を表示する操作でも同様の処理をしても良い。
【００２１】
以上説明したように、液晶パネル表示部１６でライブ画像表示されている状態で、モード設定などビットマップ画像をライブ画像に頂上させ表示する際にＲＧＢＷ信号のＷ信号振り分け量を確認する。所定範囲外の場合に出力信号生成部１６１のバックライト値の算出を停止し、バックライト値を維持する。バックライト値が維持される為、Ｗの振り分け量も固定されたＲＧＢＷ（Ｙ）信号が生成され、Ｗ信号に振り分けることでバックライト電流を抑え消費電力を削減しつつ彩度・明度の高い黄色やオレンジ系の色相変化を低減できるようになる。
【００２２】
次に、表示装置のライブ画像表示中におけるピント位置拡大表示した際の表示制御動作処理について図６に示すフローチャートを参考に説明する。
【００２３】
ステップＳ２０１で、撮像部１３より得られた画像を処理し、液晶パネル表示部１６内の出力信号生成部１６１にＲＧＢ信号を入力し、入力されたＲＧＢ信号にてバックライト値の算出とバックライト値に応じたＲＧＢ信号レベル変換してＲＧＢ信号レベルからＷの振り分け量を算出しＲＧＢＷ信号を生成する。
【００２４】
ステップＳ２０２で出力信号生成部１６１にて算出されたバックライト値でバックライト駆動部１６４にて駆動を行うと同時に出力信号生成部１６１で生成されたＲＧＢＷ信号を液晶パネル制御部１６２でＲＧＢＷのサブピクセルで構成される液晶表示部１６３の配列に応じて制御を行い、液晶パネル表示部１６で図５（ａ）のように表示（ライブ画像表示）を行う。
【００２５】
ステップＳ２０３で、タッチパネル操作部１７からフォーカスポイントの指示がなされたか確認する。ステップ２０３でタッチパネル操作部１７からフォーカスポイントの指示がなされていないと検出された場合、ステップ２０１に戻り出力信号生成部１６１でバックライト値の算出とバックライト値に応じたＲＧＢ信号レベル変換してＲＧＢ信号レベルからＷの振り分け量を算出しＲＧＢＷ信号の生成を継続する。
【００２６】
ステップＳ２０３で、タッチパネル操作部１７からフォーカスポイントの指示がなされた場合、ステップ２０４で、出力信号生成部１６１で生成されたＲＧＢＷ信号のＷ信号振り分け量が所定の範囲以内か確認する。ステップ２０４でＷ信号振り分け量が所定の範囲外と判断した場合、ステップ２０５に進み、出力信号生成部１６１のバックライト値の算出を停止し、バックライト値を維持する。バックライト値が維持される為、Ｗの振り分け量の上限が決まったＲＧＢＷ信号が生成される。そして、ステップ２０６でピント位置拡大されたライブ画像表示図５（ｃ）のような表示を行う。
【００２７】
ステップ２０４でＲＧＢＷ信号のＷ信号振り分け量が所定の範囲以内と判断した場合、ステップ２０６に進み、ピント位置拡大されたライブ画像表示図５（ｃ）のような表示を行う。
【００２８】
尚、本実施例では、ＲＧＢＷ信号のＷ信号振り分け量が所定の範囲内外で出力信号生成部１６１のバックライト値の算出を継続・停止しているが、出力信号生成部１６１のバックライト値の算出値から行っても良い。また、本実施例では、タッチパネル操作部１７からフォーカスポイントの指示がなされたかで説明しているが、フォーカスポイントで拡大表示される場合、同様の処理をしても良い。
【００２９】
以上説明したように、液晶パネル表示部１６でライブ画像表示されている状態で、フォーカスポイントで拡大表示する際にＲＧＢＷ信号のＷ信号振り分け量を確認し、所定範囲外の場合に出力信号生成部１６１のバックライト値の算出を停止し、バックライト値を維持する。バックライト値が維持される為、Ｗの振り分け量も固定されたＲＧＢＷ信号が生成されることで、特に被写体が、人の顔などで色相変化を低減できる。その為、Ｗ信号に振り分けることでバックライト電流を抑え消費電力を削減しつつ色相変化を低減できるようになる。
【符号の説明】
【００３０】
１  デジタルカメラ本体、２  本体電源スイッチ、３  レリーズスイッチ、
４  タッチパネル付き液晶表示パネル、５  操作キー
【図１】
2015215525.tif 000003
【図２】
2015215525.tif 000004
【図３】
2015215525.tif 000005
【図４】
2015215525.tif 000006
【図５】
2015215525.tif 000007
【図６】
2015215525.tif 000008